(57)【要約】【課題】カラオケ歌唱を行った者に対し、当該カラオケ歌唱に対する肯定的な評価を簡易に伝えることができる新規なカラオケシステムを提供する。【解決手段】携帯端末は、贈与信号をカラオケ装置に送信し、且つ当該贈与信号に含まれるポイントをポイント記憶部に記憶されているポイントから減算し、受贈信号を受信した場合、所定のポイントをポイント記憶部に記憶されているポイントに加算する端末側ポイント処理部を有し、カラオケ装置は、ある携帯端末以外の他の携帯端末から贈与信号を受信した場合、当該ある楽曲の楽曲識別情報に対応付けられた端末識別情報に基づいて、ある携帯端末に対し、当該贈与信号に含まれるポイントと同じポイントを含んだ受贈信号を送信する装置側ポイント処理部を有する。【選択図】図５
2020071288.tif 000002
【特許請求の範囲】
【請求項１】
携帯端末及び前記携帯端末と通信可能なカラオケ装置を含むカラオケシステムにおいて、
前記携帯端末は、
前記カラオケシステムにおいて利用するポイントを記憶するポイント記憶部と、
利用者がカラオケ歌唱を希望する楽曲を識別するための楽曲識別情報、及び前記携帯端末を識別するための端末識別情報を含む予約信号を前記カラオケ装置に送信する予約送信部と、
前記利用者から所定の操作入力を受け付けた場合、前記端末識別情報、及び所定のポイントを含む贈与信号を前記カラオケ装置に送信し、且つ当該贈与信号に含まれるポイントを前記ポイント記憶部に記憶されているポイントから減算し、
前記カラオケ装置から所定のポイントを含んだ受贈信号を受信した場合、当該所定のポイントを前記ポイント記憶部に記憶されているポイントに加算する端末側ポイント処理部と、
を有し、
前記カラオケ装置は、
前記携帯端末から前記予約信号を受信した場合、当該予約信号に含まれる楽曲識別情報と、当該携帯端末の端末識別情報とを対応付けて予約テーブルに記憶させる予約処理部と、
ある携帯端末から受信した予約信号に基づいてある楽曲のカラオケ演奏を行っている間に、前記ある携帯端末以外の他の携帯端末から前記贈与信号を受信した場合、当該ある楽曲の楽曲識別情報に対応付けられた端末識別情報に基づいて、前記ある携帯端末に対し、当該贈与信号に含まれるポイントと同じポイントを含んだ受贈信号を送信する装置側ポイント処理部と、
を有するカラオケシステム。
【請求項２】
前記携帯端末は、前記カラオケ装置に対し、前記端末識別情報を含むログイン要求信号を送信するログイン処理部を有し、
前記カラオケ装置は、前記ログイン要求信号に基づいて、前記携帯端末毎に、前記端末識別情報を予め設定されたポイントと対応付けて記憶する端末別ポイント記憶部と、
前記ログイン要求信号を受信した場合、前記カラオケ装置を識別するための装置識別情報を含むログイン許可信号を当該携帯端末に送信するログイン許可部と、
を有し、
前記装置側ポイント処理部は、
前記ある楽曲のカラオケ演奏を行っている間に、前記他の携帯端末から前記贈与信号を受信した場合、当該ある楽曲の楽曲識別情報に対応付けられた端末識別情報に基づいて、前記端末別ポイント記憶部に記憶されている前記ある携帯端末に対応付けられたポイントに、当該贈与信号に含まれるポイントを加算し、
且つ前記贈与信号に含まれる端末識別情報に基づいて、前記端末別ポイント記憶部に記憶されている前記他の携帯端末に対応付けられたポイントから、当該贈与信号に含まれるポイントを減算することを特徴とする請求項１記載のカラオケシステム。
【請求項３】
前記端末側ポイント処理部は、前記ポイント記憶部に記憶するポイントに関する操作入力を受け付けた場合、入力された前記ポイント及び前記端末識別情報を含む申請信号を前記カラオケ装置に送信し、且つ入力された前記ポイントを前記ポイント記憶部のポイントに加算し、
前記装置側ポイント処理部は、前記携帯端末から前記申請信号を受信した場合、前記端末別ポイント記憶部に記憶された、当該申請信号に含まれる端末識別情報に対応付けられたポイントに、当該申請信号に含まれるポイントを加算することを特徴とする請求項２記載のカラオケシステム。
【請求項４】
前記ポイント記憶部は、前記ポイントと、過去に利用したカラオケ装置の前記装置識別情報とを対応付けて記憶し、
前記端末側ポイント処理部は、受信した前記ログイン許可信号に含まれる装置識別情報に対応付けられた前記ポイントを前記ポイント記憶部から読み出し、読み出した前記ポイント、及び前記端末識別情報を含む残高信号を前記カラオケ装置に送信し、
前記装置側ポイント処理部は、前記ある携帯端末から前記残高信号を受信した場合、前記端末別ポイント記憶部に記憶されている当該ある携帯端末のポイントに、当該残高信号に含まれるポイントを加算することを特徴とする請求項２または３記載のカラオケシステム。
【請求項５】
前記携帯端末における所定の操作入力は、前記利用者が携帯端末の表示部において実行するフリック操作であり、
前記端末側ポイント処理部は、前記フリック操作に伴って、前記表示部の表示画面中で物体が手前側から奥側に向けて移動する映像を表示させることを特徴とする請求項１〜４のいずれか一つに記載のカラオケシステム。
【請求項６】
携帯端末及びカラオケ装置を含むカラオケシステムで実行されるプログラムであって、
前記携帯端末を、
前記カラオケシステムにおいて利用するポイントを記憶するポイント記憶部と、
利用者がカラオケ歌唱を希望する楽曲を識別するための楽曲識別情報、及び前記携帯端末を識別するための端末識別情報を含む予約信号を前記カラオケ装置に送信する予約送信部と、
前記利用者から所定の操作入力を受け付けた場合、前記端末識別情報、及び所定のポイントを含む贈与信号を前記カラオケ装置に送信し、且つ当該贈与信号に含まれるポイントを前記ポイント記憶部に記憶されているポイントから減算し、
前記カラオケ装置から所定のポイントを含んだ受贈信号を受信した場合、当該所定のポイントを前記ポイント記憶部に記憶されているポイントに加算する端末側ポイント処理部として機能させ、
前記カラオケ装置を、
前記携帯端末から前記予約信号を受信した場合、当該予約信号に含まれる楽曲識別情報と、当該携帯端末の端末識別情報とを対応付けて予約テーブルに記憶させる予約処理部と、
ある携帯端末から受信した予約信号に基づいてある楽曲のカラオケ演奏を行っている間に、前記ある携帯端末以外の携帯端末から前記贈与信号を受信した場合、当該ある楽曲の楽曲識別情報に対応付けられた端末識別情報に基づいて、前記ある携帯端末に対し、当該贈与信号に含まれるポイントと同じポイントを含んだ受贈信号を送信する装置側ポイント処理部として機能させるプログラム。
【発明の詳細な説明】
【技術分野】
【０００１】
本発明はカラオケシステム、及び当該カラオケシステムで実行されるプログラムに関する。
【０００２】
路上で芸や歌、音楽等を披露しているパフォーマーやミュージシャンに対し、謝礼や賞賛の意味を込めて、金銭受け取り用に置かれた入れ物に金銭を入れる行為（所謂、投げ銭）が行われることがある。
【０００３】
一方、カラオケ装置を利用してカラオケ歌唱を行う際には、投げ銭のような行為に代わり、飲食物を奢ることがある。たとえば、カラオケ装置が設置されたナイト店において、ある客のカラオケ歌唱に感心した他の客が、飲み物を１杯奢るといったことがある。
【０００４】
また、特許文献１には、カラオケ歌唱を聴いている聴衆が自分の携帯電話機を用いてカラオケ装置等にアクセスし、点数を入力することでカラオケ歌唱の評価を行うことができる技術が開示されている。
【先行技術文献】
【特許文献】
【０００５】
【特許文献１】特開２００３−２３３３８３号公報
【発明の概要】
【発明が解決しようとする課題】
【０００６】
本発明の目的は、カラオケ歌唱を行った者に対し、当該カラオケ歌唱に対する肯定的な評価を簡易に伝えることができる新規なカラオケシステム及びプログラムを提供することにある。
【課題を解決するための手段】
【０００７】
上記目的を達成するための主たる発明は、携帯端末及び前記携帯端末と通信可能なカラオケ装置を含むカラオケシステムにおいて、前記携帯端末は、前記カラオケシステムにおいて利用するポイントを記憶するポイント記憶部と、利用者がカラオケ歌唱を希望する楽曲を識別するための楽曲識別情報、及び前記携帯端末を識別するための端末識別情報を含む予約信号を前記カラオケ装置に送信する予約送信部と、前記利用者から所定の操作入力を受け付けた場合、前記端末識別情報、及び所定のポイントを含む贈与信号を前記カラオケ装置に送信し、且つ当該贈与信号に含まれるポイントを前記ポイント記憶部に記憶されているポイントから減算し、前記カラオケ装置から所定のポイントを含んだ受贈信号を受信した場合、当該所定のポイントを前記ポイント記憶部に記憶されているポイントに加算する端末側ポイント処理部と、を有し、前記カラオケ装置は、前記携帯端末から前記予約信号を受信した場合、当該予約信号に含まれる楽曲識別情報と、当該携帯端末の端末識別情報とを対応付けて予約テーブルに記憶させる予約処理部と、ある携帯端末から受信した予約信号に基づいてある楽曲のカラオケ演奏を行っている間に、前記ある携帯端末以外の他の携帯端末から前記贈与信号を受信した場合、当該ある楽曲の楽曲識別情報に対応付けられた端末識別情報に基づいて、前記ある携帯端末に対し、当該贈与信号に含まれるポイントと同じポイントを含んだ受贈信号を送信する装置側ポイント処理部と、を有するカラオケシステムである。
本発明の他の特徴については、後述する明細書及び図面の記載により明らかにする。
【発明の効果】
【０００８】
本発明によれば、カラオケ歌唱を行った者に対し、当該カラオケ歌唱に対する肯定的な評価を簡易に伝えることができる。
【図面の簡単な説明】
【０００９】
【図１】実施形態に係るカラオケシステムを示した図である。
【図２】実施形態に係る携帯端末を示す図である。
【図３】実施形態に係るカラオケ装置のハードウェア構成を示す図である。
【図４】実施形態に係るカラオケ装置のソフトウェア構成を示す図である。
【図５】実施形態に係るカラオケシステムの処理を示すフローチャートである。
【発明を実施するための形態】
【００１０】
図１〜図５を参照して、実施形態に係るカラオケシステム１について説明する。本実施形態において、カラオケシステム１は、２つの携帯端末（携帯端末Ｍ１、携帯端末Ｍ２）及びカラオケ装置Ｋを含む。
【００１１】
携帯端末は、利用者が所有するスマートフォン等である。図１の例において、携帯端末Ｍ１は利用者Ｕ１が所有し、携帯端末Ｍ２は利用者Ｕ２が所有している。携帯端末には、カラオケ装置Ｋに対して各種操作入力を行うための専用アプリケーションソフトウェア（以下、「カラオケアプリ」）がインストールされている。カラオケアプリは、利用者に対し、カラオケシステム１において利用する複数のメニューを提供する。カラオケアプリは、サーバ装置（図示無し）や、サーバ装置が提供するＷｅｂサイトからダウンロードすることで入手できる。
【００１２】
カラオケ装置Ｋは、利用者が選曲した楽曲のカラオケ演奏、及び利用者がカラオケ歌唱を行うための装置である。カラオケ装置Ｋと各携帯端末とは、たとえば、カラオケ装置Ｋが設置されている店舗内のＬＡＮを介して通信可能に接続される。
【００１３】
＝＝携帯端末＝＝
図２を参照して、携帯端末の構成について説明する。ここでは携帯端末Ｍ１を例に説明を行うが、携帯端末Ｍ２も同様の構成を有する。図２に示すように、携帯端末Ｍ１は、記憶部１０、通信部１１、表示部１２、入力部１３、及び制御部１４を備える。各構成はインターフェース（図示なし）を介してバスＢに接続されている。
【００１４】
［記憶部］
記憶部１０は、各種のデータを記憶する大容量の記憶装置である。本実施形態に係る記憶部１０の記憶領域の一部は、ポイント記憶部１０ａとして機能する。
【００１５】
（ポイント記憶部）
ポイント記憶部１０ａは、カラオケシステム１において利用するポイントを記憶する。ポイントは、予め決められたポイント（たとえば「０ポイント」）を基準として、自己のカラオケ歌唱または他の利用者のカラオケ歌唱に応じて増減する（詳細は後述）。ポイントは、プラスの値だけでなくマイナスの値も取り得る。ポイント記憶部１０ａは、たとえばカラオケアプリを起動した際に、予め決められたポイントを記憶する。或いは、ポイント記憶部１０ａは、ログイン許可信号（後述）を受信した場合に、予め決められたポイントを記憶することでもよい。
【００１６】
本実施形態におけるポイントは、他の利用者のカラオケ歌唱を評価する際に利用されるカラオケシステム１上における仮想の数値である。たとえば、ある利用者のカラオケ歌唱を上手いと感じた他の利用者は、ある利用者に飲み物を奢ったり、投げ銭をする代わりに、所定数のポイントを贈与することで賞賛や感心といった肯定的な評価を示すことができる。逆に、所定のポイントを受贈した利用者は、ポイントに応じて様々なサービスを受けることができる。ポイントの贈与及び受贈についての詳細は後述する。
【００１７】
［通信部、表示部、入力部］
通信部１１は、カラオケ装置Ｋとの接続を行うためのインターフェースを提供する。表示部１２は、各種情報を表示させるディスプレイである。入力部１３は、利用者が各種指示入力を行うための構成である。入力部１３は、たとえば、利用者からの音声入力を受け付けるためのマイクや、利用者が各情報を入力するための操作ボタンである。なお、本実施形態において、表示部１２は、タッチパネル形式で構成されており、入力部１３としても機能する。
【００１８】
［制御部］
制御部１４は、携帯端末Ｍ１における各種の制御を行う。制御部１４は、ＣＰＵおよびメモリ（いずれも図示無し）を備える。ＣＰＵは、メモリに記憶されたプログラムを実行することにより各種の機能を実現する。
【００１９】
図２に示すように、制御部１４は、ログイン処理部１４ａ、予約送信部１４ｂ、及び端末側ポイント処理部１４ｃとして機能する。
【００２０】
（ログイン処理部）
ログイン処理部１４ａは、カラオケ装置Ｋに対し、端末識別情報を含むログイン要求信号を送信する。端末識別情報は、携帯端末を識別するための情報（端末ＩＤ）である。端末識別情報は各携帯端末に固有の情報である。端末識別情報は記憶部１０に記憶されている。
【００２１】
たとえば、カラオケ店舗に入店した利用者Ｕ１は、携帯端末Ｍ１でカラオケアプリを起動し、メインメニューに表示されたログインアイコンを選択する。
【００２２】
この場合、ログイン処理部１４ａは、記憶部１０から携帯端末Ｍ１の端末ＩＤを読み出し、読み出した端末ＩＤを含むログイン要求信号を生成し、カラオケ店舗に設置されているカラオケ装置Ｋに送信する。カラオケ装置Ｋは、ログイン要求信号を受信した場合、ログイン許可信号を携帯端末Ｍ１に送信する（詳細は後述）。
【００２３】
ログイン許可信号を受信した後、携帯端末Ｍ１は、カラオケ装置Ｋに対する各種の操作入力や、カラオケ装置Ｋからの各種信号の受信が可能となる。
【００２４】
（予約送信部）
予約送信部１４ｂは、楽曲識別情報、及び端末識別情報を含む予約信号をカラオケ装置Ｋに送信する。
【００２５】
楽曲識別情報は、楽曲を識別するための情報（楽曲ＩＤ）である。楽曲識別情報は各楽曲に固有の情報である。楽曲識別情報は記憶部１０に記憶されている。
【００２６】
利用者は、カラオケアプリの検索メニューでカラオケ歌唱を希望する楽曲を検索し、選曲を行う。予約送信部１４ｂは、利用者が選曲した楽曲の楽曲ＩＤ、及び記憶部１０から読み出した端末ＩＤを含む予約信号を生成し、カラオケ装置Ｋに送信する。
【００２７】
（端末側ポイント処理部）
端末側ポイント処理部１４ｃは、携帯端末Ｍ１におけるポイントの管理を行う。
【００２８】
本実施形態に係る端末側ポイント処理部１４ｃは、カラオケ装置Ｋからカラオケ演奏の開始信号を受信してから、当該カラオケ演奏の終了信号を受信するまでの間に、利用者から所定の操作入力を受け付けた場合、端末識別情報、及び所定のポイントを含む贈与信号をカラオケ装置Ｋに送信し、且つ当該贈与信号に含まれるポイントをポイント記憶部１０ａに記憶されているポイントから減算する。
【００２９】
利用者Ｕ２のカラオケ歌唱を聴いた利用者Ｕ１が、肯定的な評価を示すために所定数のポイントを贈与したいと考えたとする。この場合、利用者Ｕ１は、入力部１３を介して所定の操作入力を行う。所定の操作入力は、所定数のポイントを他人に贈与するための動作である。所定のポイントは、一回の操作入力で贈与するポイントである。
【００３０】
たとえば、利用者Ｕ１は、カラオケアプリのポイント贈与メニューにおいて、任意のポイントを入力することができる。入力されたポイントは「所定のポイント」に相当する。
【００３１】
或いは、携帯端末Ｍ１における所定の操作入力は、利用者Ｕ１が携帯端末Ｍ１の表示部１２において実行するフリック操作であってもよい。この場合、端末側ポイント処理部１４ｃは、フリック操作に伴って、表示部１２の表示画面中で物体が手前側から奥側に向けて移動する映像を表示させる。
【００３２】
たとえば、利用者Ｕ１がポイント贈与メニューを選択した場合、端末側ポイント処理部１４ｃは、数字の書かれたコインのアイコンを表示部１２に表示する。コインは、「物体」の一例である。数字は、一回のフリック操作で贈与するポイント（所定のポイント）に対応している。贈与するポイントは、予め所定の値が設定されていてもよいし、ポイント贈与メニュー等において利用者が任意の値を都度、設定することでもよい。なお、カラオケアプリにおけるポイント贈与メニューは、カラオケ装置Ｋからカラオケ演奏の開始信号を受信してから、当該カラオケ演奏の終了信号を受信するまでの間のみ選択できるよう構成されていてもよい。
【００３３】
利用者Ｕ１は、コインのアイコンをタッチした状態でフリック操作を行う。この場合、端末側ポイント処理部１４ｃは、表示画面中でコインが手前側から奥側に向けて移動し、最終的に消える映像を表示部１２に表示させる。
【００３４】
上述のような操作入力がなされた場合、端末側ポイント処理部１４ｃは、端末識別情報、及び所定のポイントを含む贈与信号をカラオケ装置Ｋに送信する。具体的に、端末側ポイント処理部１４ｃは、記憶部１０から読み出した端末ＩＤ、及び所定のポイントを含む贈与信号を生成し、カラオケ装置Ｋに送信する。
【００３５】
一方、上述のような所定の操作入力がなされた場合、端末側ポイント処理部１４ｃは、贈与信号に含まれるポイントをポイント記憶部１０ａに記憶されているポイントから減算する。
【００３６】
たとえば、ポイント記憶部１０ａに記憶されているポイントが「０」の状態で、利用者Ｕ１が１００ポイントの贈与を行ったとする。この場合、端末側ポイント処理部１４ｃは、０ポイントから１００ポイントを減算する。従って、ポイント記憶部１０ａに記憶されているポイントは、「−１００ポイント」に更新される。
【００３７】
更に、本実施形態に係る端末側ポイント処理部１４ｃは、カラオケ装置Ｋから所定のポイントを含んだ受贈信号を受信した場合、当該所定のポイントをポイント記憶部１０ａに記憶されているポイントに加算する。
【００３８】
たとえば、利用者Ｕ１のカラオケ歌唱に対して、利用者Ｕ２が自己の携帯端末Ｍ２を介して上記と同様の操作入力（所定のポイントを贈与するための操作入力）を行ったとする。この場合、カラオケ装置Ｋからは所定のポイントを含んだ受贈信号が送信される（詳細は後述）。
【００３９】
たとえば、ポイント記憶部１０ａに記憶されているポイントが「０」の状態で、受贈信号に１００ポイントが含まれていたとする。この場合、端末側ポイント処理部１４ｃは、０ポイントに１００ポイントを加算する。従って、ポイント記憶部１０ａに記憶されているポイントは、「＋１００ポイント」に更新される。
【００４０】
＝＝カラオケ装置＝＝
図３及び図４を参照して、カラオケ装置Ｋの構成について説明する。
【００４１】
カラオケ装置Ｋは、楽曲のカラオケ演奏、及び利用者がカラオケ歌唱を行うための装置である。図３に示すように、カラオケ装置Ｋは、カラオケ本体２０、スピーカ３０、表示装置４０、マイク５０、及びリモコン装置６０を備える。
【００４２】
カラオケ本体２０は、選曲されたカラオケ楽曲の演奏制御、歌詞や背景映像等の表示制御、マイク５０を通じて入力された音声信号の処理といった、カラオケ演奏やカラオケ歌唱に関する各種の制御を行う。スピーカ３０はカラオケ本体２０からの放音信号に基づいて放音するための構成である。表示装置４０はカラオケ本体２０からの信号に基づいて映像や画像を画面に表示するための構成である。マイク５０は利用者の歌唱音声をアナログの音声信号に変換してカラオケ本体２０に入力するための構成である。リモコン装置６０は、カラオケ本体２０に対する各種操作をおこなうための装置である。
【００４３】
図４に示すように、本実施形態に係るカラオケ本体２０は、記憶部２０ａ、通信部２０ｂ、入力部２０ｃ、及び制御部２０ｄを備える。各構成はインターフェース（図示なし）を介してバスＢに接続されている。
【００４４】
［記憶部、通信部、入力部、制御部］
記憶部２０ａは、カラオケ演奏を行うための楽曲データ等、各種のデータを記憶する大容量の記憶装置である。通信部２０ｂは、カラオケ装置Ｋと各携帯端末との通信を行うためのインターフェースを提供する。入力部２０ｃは、利用者等が各種の指示入力を行うための構成である。制御部２０ｄは、カラオケ装置Ｋにおける各種の制御を行う。制御部２０ｄは、ＣＰＵおよびメモリ（いずれも図示無し）を備える。ＣＰＵは、メモリに記憶されたプログラムを実行することにより各種の機能を実現する。
【００４５】
本実施形態においてはＣＰＵがメモリに記憶されるプログラムを実行することにより、記憶部２０ａの記憶領域の一部は端末別ポイント記憶部１００として機能し、制御部２０ｄは、予約処理部２００、ログイン許可部３００、及び装置側ポイント処理部４００として機能する。
【００４６】
（端末別ポイント記憶部）
端末別ポイント記憶部１００は、ログイン要求信号に基づいて、携帯端末毎に、端末識別情報を予め設定されたポイントと対応付けて記憶する。
【００４７】
たとえば、携帯端末Ｍ１からログイン要求信号を受信した場合、端末別ポイント記憶部１００は、ログイン要求信号に含まれる端末ＩＤに対し、予め設定されたポイントを対応付けて記憶する。予め設定されたポイントは、カラオケ装置毎に設定されている値（たとえば０ポイント）である。
【００４８】
或いは、カラオケ装置Ｋを設置している店舗によって、来店サービスポイント（たとえば、１００ポイント）のような形でポイントを付与してもよい。この場合、端末別ポイント記憶部１００は、携帯端末の端末ＩＤに対し、来店サービスポイントに対応するポイントを対応付けて記憶する。ログイン許可部３００は、ログイン許可信号に来店サービスポイントの値を含めて携帯端末に送信する。端末側ポイント処理部１４ｃは、ポイント記憶部１０ａに記憶されているポイントに対し、ログイン許可信号に含まれるポイントを加算し、ポイントの更新を行う。
【００４９】
（予約処理部）
予約処理部２００は、携帯端末Ｍ１から予約信号を受信した場合、当該予約信号に含まれる楽曲識別情報と、携帯端末Ｍ１の端末識別情報とを対応付けて予約テーブルに記憶させる。予約テーブルは、たとえば記憶部２０ａに記憶される。
【００５０】
カラオケ装置Ｋは、予約テーブルに記憶されている順に、記憶部２０ａから楽曲データを読み出し、カラオケ演奏を行う。利用者は、カラオケ演奏に合わせてカラオケ歌唱を行う。
【００５１】
（ログイン許可部）
ログイン許可部３００は、ログイン要求信号を受信した場合、カラオケ装置Ｋを識別するための装置識別情報を含むログイン許可信号を携帯端末に送信する。
【００５２】
たとえば、ログイン許可部３００は、携帯端末Ｍ１からログイン要求信号を受信した場合、カラオケ装置Ｋの記憶部２０ａから読み出した装置識別情報、及び当該装置識別情報を含むログイン許可信号を生成し、携帯端末Ｍ１に送信する。装置識別情報は、カラオケ装置を識別するための情報（装置ＩＤ）である。装置識別情報は各カラオケ装置に固有の情報である。
【００５３】
（装置側ポイント処理部）
装置側ポイント処理部４００は、カラオケ装置Ｋにおけるポイントの管理を行う。
【００５４】
本実施形態に係る装置側ポイント処理部４００は、ある携帯端末から受信した予約信号に基づいてある楽曲のカラオケ演奏を行っている間に、ある携帯端末以外の他の携帯端末から贈与信号を受信した場合、当該ある楽曲の楽曲識別情報に対応付けられた端末識別情報に基づいて、ある携帯端末に対し、当該贈与信号に含まれるポイントと同じポイントを含んだ受贈信号を送信する。
【００５５】
たとえば、携帯端末Ｍ１及び携帯端末Ｍ２がカラオケ装置Ｋにログインした状態で、携帯端末Ｍ１から受信した予約信号に基づいて楽曲Ｘのカラオケ演奏が行われるとする。この場合、装置側ポイント処理部４００は、携帯端末Ｍ２に対してカラオケ演奏の開始信号を送信する。
【００５６】
ここで、利用者Ｕ１のカラオケ歌唱を聴いた利用者Ｕ２が、楽曲Ｘのカラオケ演奏中に携帯端末Ｍ２を介してポイントの贈与に関する操作入力を行ったとする。この場合、携帯端末Ｍ２からは贈与信号が送信される。
【００５７】
贈与信号を受信した場合、装置側ポイント処理部４００は、予約テーブルを参照し、楽曲Ｘの楽曲ＩＤに対応付けられている携帯端末Ｍ１の端末ＩＤを特定する。そして、装置側ポイント処理部４００は、特定した端末ＩＤに基づいて、携帯端末Ｍ１に対し、贈与信号に含まれるポイントと同じポイントを含んだ受贈信号を送信する。
【００５８】
受贈信号を受信した、携帯端末Ｍ１の端末側ポイント処理部１４ｃは、ポイント記憶部１０ａに記憶されているポイントに受贈信号に含まれるポイントを加算する。
【００５９】
また、本実施形態に係る装置側ポイント処理部４００は、ある楽曲のカラオケ演奏を行っている間に、ある携帯端末以外の携帯端末から贈与信号を受信した場合、当該ある楽曲の楽曲識別情報に対応付けられた端末識別情報に基づいて、端末別ポイント記憶部１００に記憶されているある携帯端末に対応するポイントを加算する。一方、装置側ポイント処理部４００は、贈与信号に含まれる端末識別情報に基づいて、端末別ポイント記憶部１００に記憶されている他の携帯端末に対応するポイントを減算する。
【００６０】
たとえば、携帯端末Ｍ２から１００ポイントを含む贈与信号を受信した場合、装置側ポイント処理部４００は、予約テーブルを参照し、楽曲Ｘの楽曲ＩＤに対応付けられている携帯端末Ｍ１の端末ＩＤを特定する。そして、装置側ポイント処理部４００は、特定した端末ＩＤに基づいて、端末別ポイント記憶部１００に記憶されている携帯端末Ｍ１のポイントに１００ポイントを加算する処理を行う。一方、装置側ポイント処理部４００は、贈与信号に含まれる端末ＩＤに基づいて、端末別ポイント記憶部１００に記憶されている携帯端末Ｍ２のポイントから１００ポイントを減算する処理を行う。
【００６１】
上記の例において、携帯端末Ｍ１は「ある携帯端末」に相当し、携帯端末Ｍ２は「ある携帯端末以外の他の携帯端末」に相当する。
【００６２】
そして、ある楽曲のカラオケ演奏が終了すると、装置側ポイント処理部４００は、携帯端末Ｍ２に対してカラオケ演奏の終了信号を送信する。このようにして、ある楽曲のカラオケ演奏を行っている間に授受されたポイントは、様々なサービスに利用できる。たとえば、ポイントに応じて、カラオケ店舗の利用代金を増減することができる。
【００６３】
具体的には、利用者がカラオケ歌唱を終えて退店する際、利用者は、カラオケアプリのメインメニューに表示されたログアウトアイコンを選択する。携帯端末は、カラオケ装置Ｋに対して、端末ＩＤを含むログアウト信号を送信する。カラオケ装置Ｋは、該当する携帯端末に対してログアウト通知信号を送信する。ログアウト通知信号を受信した携帯端末は、ポイント記憶部１０ａに記憶されているポイントを削除する。
【００６４】
カラオケ店舗の従業員は、カラオケ装置Ｋの表示装置４０に表示されている「清算ボタン」を選択する。この場合、カラオケ装置Ｋは、端末別ポイント記憶部１００に記憶されているポイントの中から、ログアウト信号に含まれる端末ＩＤに対応するポイントを読み出し、表示装置４０に表示する。従業員は、表示されたポイントに応じて、利用代金の調整を行うことができる。
【００６５】
たとえば、表示された利用者Ｕ１のポイントが、「−８００ポイント」であった場合、従業員は、飲食等の代金に対して８００円を増額した額を実際の利用代金として請求する。
【００６６】
逆に、利用者Ｕ１のポイントが、「＋１５００ポイント」であった場合、従業員は、飲食等の代金から１５００円を減額した額を実際の利用代金として請求する。
【００６７】
その後、従業員は、表示装置４０に表示されている「清算完了ボタン」を選択する。カラオケ装置Ｋは、当該選択に応じて、端末別ポイント記憶部１００から支払いを終えた利用者の端末ＩＤ及びポイントを削除する。
【００６８】
＝＝カラオケシステムにおける処理について＝＝
次に、図５を参照して本実施形態に係るカラオケシステム１における処理の具体例について述べる。図５は、カラオケシステム１における処理例を示すフローチャートである。この例では、携帯端末Ｍ１を所有する利用者Ｕ１と携帯端末Ｍ２を所有する利用者Ｕ２がカラオケ装置Ｋにログインしているとする。また、各携帯端末のポイント記憶部１０ａには、予め決められたポイントが記憶されており、カラオケ装置Ｋの端末別ポイント記憶部１００には、携帯端末毎に、ポイント記憶部１０ａに記憶されているポイントと同じポイントが記憶されているとする。
【００６９】
利用者Ｕ１は、携帯端末Ｍ１を介して楽曲Ｘの予約を行う。この場合、予約送信部１４ｂは、楽曲Ｘの楽曲ＩＤ及び携帯端末Ｍ１の端末ＩＤを含む予約信号をカラオケ装置Ｋに送信する（予約信号の送信。ステップ１０）。
【００７０】
ステップ１０で送信された予約信号を受信した場合、予約処理部２００は、当該予約信号に含まれる楽曲ＩＤと、携帯端末Ｍ１の端末ＩＤとを対応付けて予約テーブルに記憶させる（楽曲ＩＤ及び端末ＩＤの記憶。ステップ１１）。その後、カラオケ装置Ｋは、楽曲Ｘのカラオケ演奏を開始し、携帯端末Ｍ２にカラオケ演奏の開始信号を送信する（カラオケ演奏の開始信号を送信。ステップ１２）。利用者Ｕ１は、楽曲Ｘのカラオケ演奏に合わせてカラオケ歌唱を行う。
【００７１】
ここで、利用者Ｕ１のカラオケ歌唱を聴いた利用者Ｕ２が、利用者Ｕ１のカラオケ歌唱に対して肯定的な評価を行いたいと考えたとする。この場合、利用者Ｕ２は、携帯端末Ｍ２においてポイント贈与メニューを選択し、所定の操作入力を行う。この場合、携帯端末Ｍ２の端末側ポイント処理部１４ｃは、携帯端末Ｍ２の端末ＩＤ、及び所定のポイントを含む贈与信号をカラオケ装置Ｋに送信する（贈与信号の送信。ステップ１３）。また、携帯端末Ｍ２の端末側ポイント処理部１４ｃは、ステップ１３で送信した贈与信号に含まれるポイントをポイント記憶部１０ａに記憶されているポイントから減算する（ポイントの減算。ステップ１４）。
【００７２】
一方、ステップ１３で送信された贈与信号を受信した場合、装置側ポイント処理部４００は、楽曲Ｘの楽曲ＩＤに対応付けられた端末ＩＤに基づいて、携帯端末Ｍ１に対し、贈与信号に含まれるポイントと同じポイントを含んだ受贈信号を送信する（受贈信号の送信。ステップ１５）。
【００７３】
携帯端末Ｍ１の端末側ポイント処理部１４ｃは、カラオケ装置Ｋから所定のポイントを含んだ受贈信号を受信した場合、当該所定のポイントをポイント記憶部１０ａに記憶されているポイントに加算する（ポイントの加算。ステップ１６）。
【００７４】
更に、この例において、装置側ポイント処理部４００は、携帯端末Ｍ２から贈与信号を受信した場合、楽曲Ｘの楽曲ＩＤに対応付けられた携帯端末Ｍ１の端末ＩＤに基づいて、端末別ポイント記憶部１００に記憶されている携帯端末Ｍ１のポイントを加算する。また、装置側ポイント処理部４００は、贈与信号に含まれる携帯端末Ｍ２の端末ＩＤに基づいて、端末別ポイント記憶部１００に記憶されている携帯端末Ｍ２のポイントを減算する（記憶されている端末毎のポイントを加減算。ステップ１７）。そして、カラオケ装置Ｋは、楽曲Ｘのカラオケ演奏の終了時に、携帯端末Ｍ２にカラオケ演奏の終了信号を送信する（カラオケ演奏の終了信号を送信。ステップＳ１８）。
【００７５】
以上から明らかなように、本実施形態に係るカラオケシステム１は、携帯端末Ｍ１、携帯端末Ｍ２、及びカラオケ装置Ｋを含む。各携帯端末は、カラオケシステム１において利用するポイントを記憶するポイント記憶部１０ａと、利用者がカラオケ歌唱を希望する楽曲を識別するための楽曲識別情報、及び携帯端末を識別するための端末識別情報を含む予約信号をカラオケ装置Ｋに送信する予約送信部１４ｂと、利用者から所定の操作入力を受け付けた場合、端末識別情報、及び所定のポイントを含む贈与信号をカラオケ装置Ｋに送信し、且つ当該贈与信号に含まれるポイントをポイント記憶部１０ａに記憶されているポイントから減算し、カラオケ装置Ｋから所定のポイントを含んだ受贈信号を受信した場合、当該所定のポイントをポイント記憶部１０ａに記憶されているポイントに加算する端末側ポイント処理部１４ｃと、を有する。カラオケ装置Ｋは、携帯端末から予約信号を受信した場合、当該予約信号に含まれる楽曲識別情報と、当該携帯端末の端末識別情報とを対応付けて予約テーブルに記憶させる予約処理部２００と、ある携帯端末から受信した予約信号に基づいてある楽曲のカラオケ演奏を行っている間に、ある携帯端末以外の他の携帯端末から贈与信号を受信した場合、当該ある楽曲の楽曲識別情報に対応付けられた端末識別情報に基づいて、ある携帯端末に対し、当該贈与信号に含まれるポイントと同じポイントを含んだ受贈信号を送信する装置側ポイント処理部４００と、を有する。
【００７６】
このようなカラオケシステム１の利用者は、自己の携帯端末で所定の操作入力を行うだけでカラオケ歌唱を行う他の利用者に対してポイントを贈与し、肯定的な評価を伝えることができる。また、肯定的な評価を受けた他の利用者は、受贈したポイントを様々なサービスで利用することが可能となる。また、このようなポイントの授受は、カラオケ装置Ｋ及び利用者が所有する携帯端末を利用することで実施できるため、サーバ装置等、他の装置を必要としない。すなわち、本実施形態に係るカラオケシステム１によれば、カラオケ歌唱を行った者に対し、当該カラオケ歌唱に対する肯定的な評価を簡易に伝えることができる。
【００７７】
また、本実施形態において、携帯端末は、カラオケ装置Ｋに対し、端末識別情報を含むログイン要求信号を送信するログイン処理部１４ａを有する。カラオケ装置Ｋは、ログイン要求信号に基づいて、携帯端末毎に、端末識別情報を予め設定されたポイントと対応付けて記憶する端末別ポイント記憶部１００と、ログイン要求信号を受信した場合、カラオケ装置Ｋを識別するための装置識別情報を含むログイン許可信号を当該携帯端末に送信するログイン許可部３００と、を有する。また、装置側ポイント処理部４００は、ある楽曲のカラオケ演奏を行っている間に、他の携帯端末から贈与信号を受信した場合、当該ある楽曲の楽曲識別情報に対応付けられた端末識別情報に基づいて、端末別ポイント記憶部１００に記憶されているある携帯端末に対応付けられたポイントに、当該贈与信号に含まれるポイントを加算し、且つ贈与信号に含まれる端末識別情報に基づいて、端末別ポイント記憶部１００に記憶されている他の携帯端末に対応付けられたポイントから、当該贈与信号に含まれるポイントを減算する。
【００７８】
このように、カラオケ装置Ｋ側でポイントを管理することにより、カラオケ装置Ｋが設置されている店舗等でポイントを利用した各種サービスの提供が可能となる。
【００７９】
また、携帯端末における所定の操作入力は、利用者が携帯端末の表示部において実行するフリック操作であり、端末側ポイント処理部１４ｃは、フリック操作に伴って、表示部１２の表示画面中で物体が手前側から奥側に向けて移動する映像を表示させる。
【００８０】
このようなフリック操作に伴う映像の変化により、実際に投げ銭を行うような感覚でポイントの贈与が可能となる。
【００８１】
更に、上記実施形態で説明した処理をカラオケシステムに実行させるためのプログラムを提供することも可能である。本実施形態に係るプログラムは、携帯端末Ｍ１、携帯端末Ｍ２、及びカラオケ装置Ｋを含むカラオケシステム１で実行されるプログラムである。プログラムは、各携帯端末を、カラオケシステム１において利用するポイントを記憶するポイント記憶部１０ａと、利用者がカラオケ歌唱を希望する楽曲を識別するための楽曲識別情報、及び携帯端末を識別するための端末識別情報を含む予約信号をカラオケ装置Ｋに送信する予約送信部１４ｂと、利用者から所定の操作入力を受け付けた場合、端末識別情報、及び所定のポイントを含む贈与信号をカラオケ装置Ｋに送信し、且つ当該贈与信号に含まれるポイントをポイント記憶部１０ａに記憶されているポイントから減算し、カラオケ装置Ｋから所定のポイントを含んだ受贈信号を受信した場合、当該所定のポイントをポイント記憶部１０ａに記憶されているポイントに加算する端末側ポイント処理部１４ｃとして機能させる。また、プログラムは、カラオケ装置Ｋを、携帯端末から予約信号を受信した場合、当該予約信号に含まれる楽曲識別情報と、当該携帯端末の端末識別情報とを対応付けて予約テーブルに記憶させる予約処理部２００と、ある携帯端末から受信した予約信号に基づいてある楽曲のカラオケ演奏を行っている間に、ある携帯端末以外の他の携帯端末から贈与信号を受信した場合、当該ある楽曲の楽曲識別情報に対応付けられた端末識別情報に基づいて、ある携帯端末に対し、当該贈与信号に含まれるポイントと同じポイントを含んだ受贈信号を送信する装置側ポイント処理部４００として機能させる。このようなプログラムをカラオケシステム１で実行することにより、カラオケ歌唱を行った者に対し、当該カラオケ歌唱に対する肯定的な評価を簡易に伝えることができる。なお、このようなプログラムは、携帯端末用のプログラムと、カラオケ装置用のプログラムとに分けて提供することができる。
【００８２】
＜変形例１＞
上記実施形態において、利用者は、贈与するポイントを予め取得することも可能である。
【００８３】
具体的に、端末側ポイント処理部１４ｃは、ポイント記憶部１０ａに記憶するポイントに関する操作入力を受け付けた場合、入力されたポイント及び端末識別情報を含む申請信号をカラオケ装置Ｋに送信する。また、端末側ポイント処理部１４ｃは、入力されたポイントをポイント記憶部１０ａのポイントに加算する。更に、装置側ポイント処理部４００は、携帯端末から申請信号を受信した場合、端末別ポイント記憶部１００に記憶された、当該申請信号に含まれる端末識別情報に対応付けられたポイントに、当該申請信号に含まれるポイントを加算する。
【００８４】
たとえば、カラオケ装置Ｋにログインした利用者Ｕ１が、贈与に使用するポイントを予め取得したいと考えたとする。この場合、利用者Ｕ１は、カラオケアプリのポイント取得メニューを選択し、取得したいポイントを入力する。端末側ポイント処理部１４ｃは、入力されたポイント、及び携帯端末Ｍ１の端末ＩＤを含む申請信号を生成し、カラオケ装置Ｋに送信する。
【００８５】
装置側ポイント処理部４００は、携帯端末Ｍ１から申請信号を受信した場合、申請信号に含まれる携帯端末Ｍ１の端末ＩＤが端末別ポイント記憶部１００に記憶されているかどうかを確認する。記憶されている場合、装置側ポイント処理部４００は、端末ＩＤ、申請信号に含まれるポイント、及び承認ボタンを表示装置４０に表示させる。カラオケ店舗の従業員は、利用者Ｕ１から、取得を希望するポイントに応じた代金の支払いを受けた場合、承認ボタンを選択する。
【００８６】
承認ボタンの選択に伴い、装置側ポイント処理部４００は、端末別ポイント記憶部１００に記憶された、当該申請信号に含まれる端末識別情報に対応付けられたポイントに、当該申請信号に含まれるポイントを加算する。
【００８７】
また、装置側ポイント処理部４００は、承認ボタンの選択に伴って、申請信号に対する許可信号を携帯端末Ｍ１に送信する。許可信号に基づいて、端末側ポイント処理部１４ｃは、入力されたポイントをポイント記憶部１０ａのポイントに加算する。
【００８８】
その後、利用者Ｕ１は、ポイント記憶部１０ａに記憶されたポイントを利用して、他の利用者のカラオケ歌唱に対し、ポイントの贈与を行うことが可能となる。なお、本実施形態のように、贈与に使用するポイントを予め取得することが可能な場合、カラオケシステム１は、贈与に使用するポイントがポイント記憶部１０ａに記憶されている場合のみ、贈与の操作入力が可能となるようにしてもよい。具体的に、贈与に使用するポイントがポイント記憶部１０ａに記憶されていない場合（０ポイントの場合）、端末側ポイント処理部１４ｃは、贈与の操作入力の受付を行わず、「ポイントを取得してください」といったメッセージを携帯端末の表示部１２に表示させる。
【００８９】
一方、ポイントの取得は、カラオケシステム１を利用している間、いつでも行うことができる。すなわち、カラオケシステム１へのログイン時だけでなく、ある利用者のカラオケ歌唱に対して肯定的な評価をしたいと考えたタイミングで、利用者はカラオケアプリのポイント取得メニューを選択し、取得したいポイントを入力することができる。また、一度、ポイントを取得した利用者が、改めて別のタイミングでポイントを取得することも可能である。いずれの場合も、カラオケシステム１は、利用者からの指示入力に応じて、上記と同様の処理を実行する。
【００９０】
以上から明らかなように、本実施形態に係るカラオケシステム１における端末側ポイント処理部１４ｃは、ポイント記憶部１０ａに記憶するポイントに関する操作入力を受け付けた場合、入力されたポイント及び端末識別情報を含む申請信号をカラオケ装置Ｋに送信し、且つ入力されたポイントをポイント記憶部１０ａのポイントに加算する。また、装置側ポイント処理部４００は、携帯端末から申請信号を受信した場合、端末別ポイント記憶部１００に記憶された、当該申請信号に含まれる端末識別情報に対応付けられたポイントに、当該申請信号に含まれるポイントを加算する。
【００９１】
このようなカラオケシステム１によれば、贈与するポイントを利用者の希望に応じて予め取得しておくことができる。
【００９２】
＜変形例２＞
上記実施形態においては、カラオケ装置Ｋからログアウトした場合には、ポイント記憶部１０ａに記憶されているポイントが削除される例について述べた。一方、退店時に残っているポイントを精算に利用する代わりに、次回の来店時に使用したいと考える利用者もいる。また、カラオケ店舗側も、残っているポイントを繰り越すことによって、利用者の再度の来店を促すことができる。そこで、本変形例では、残っているポイントを繰り越すことを可能とするカラオケシステム１について説明する。
【００９３】
具体的に、ポイント記憶部１０ａは、ポイントと、過去に利用したカラオケ装置の装置識別情報とを対応付けて記憶する。端末側ポイント処理部１４ｃは、受信したログイン許可信号に含まれる装置識別情報に対応付けられたポイントをポイント記憶部１０ａから読み出し、読み出したポイント、及び端末識別情報を含む残高信号をカラオケ装置Ｋに送信する。装置側ポイント処理部４００は、ある携帯端末から残高信号を受信した場合、端末別ポイント記憶部１００に記憶されている当該ある携帯端末のポイントに、当該残高信号に含まれるポイントを加算する。
【００９４】
たとえば、上記実施形態において、利用者Ｕ１がカラオケ装置Ｋからログアウトする際に、端末別ポイント記憶部１００に携帯端末Ｍ１に対応するポイントが残った状態であるとする。この場合、カラオケ装置Ｋは、残っているポイントと装置ＩＤを含めてログアウト通知信号を生成し、携帯端末Ｍ１に送信する。
【００９５】
携帯端末Ｍ１のポイント記憶部１０ａは、残っているポイントをカラオケ装置Ｋの装置ＩＤと対応付けて記憶する。
【００９６】
後日、利用者Ｕ１は、カラオケ装置Ｋが設置されているカラオケ店舗を訪れ、カラオケ装置Ｋにログインしたとする。この場合、ログイン許可部３００は、携帯端末Ｍ１に対してログイン許可信号を送信する。携帯端末Ｍ１の端末側ポイント処理部１４ｃは、受信したログイン許可信号に含まれる装置ＩＤに対応付けられたポイントをポイント記憶部１０ａから読み出す。
【００９７】
そして、端末側ポイント処理部１４ｃは、読み出したポイント、及び携帯端末Ｍ１の端末ＩＤを含む残高信号を生成し、カラオケ装置Ｋに送信する。
【００９８】
装置側ポイント処理部４００は、携帯端末Ｍ１から残高信号を受信した場合、端末別ポイント記憶部１００に記憶されている携帯端末Ｍ１のポイントに対し、当該残高信号に含まれるポイントを加算する。
【００９９】
以上から明らかなように、本実施形態に係るカラオケシステム１におけるポイント記憶部１０ａは、ポイントと、過去に利用したカラオケ装置の装置識別情報とを対応付けて記憶している。端末側ポイント処理部１４ｃは、受信したログイン許可信号に含まれる装置識別情報に対応付けられたポイントをポイント記憶部１０ａから読み出し、読み出したポイント、及び端末識別情報を含む残高信号をカラオケ装置に送信する。装置側ポイント処理部４００は、ある携帯端末から残高信号を受信した場合、端末別ポイント記憶部１００に記憶されている当該ある携帯端末のポイントに対し、当該残高信号に含まれるポイントを加算する。
【０１００】
このようなカラオケシステム１によれば、あるカラオケ装置からログアウトする際にポイントが残っている場合であっても、後日、当該あるカラオケ装置にログインした場合には、残りのポイントを引き続き利用することができる。
【０１０１】
＜その他＞
上記実施形態では携帯端末が２つの例について述べたが、３つ以上あってもよい。その場合でもカラオケ歌唱を行っている利用者以外は、自己の携帯端末からそれぞれポイントの贈与が可能である。複数の携帯端末からポイントの贈与を受け付けた場合、たとえば、装置側ポイント処理部４００は、ある楽曲のカラオケ演奏が終了した後、当該カラオケ演奏中に送信された各贈与信号に含まれるポイントを合計し、合計したポイントを含む受贈信号を生成する。
【０１０２】
また、携帯端末は、カラオケ装置Ｋからカラオケ演奏の開始信号を受信してから、当該カラオケ演奏の終了信号を受信するまでの間、贈与信号をカラオケ装置に送信可能となる構成を述べたが、カラオケ装置Ｋがカラオケ演奏の開始信号、及び終了信号を送信しない構成も可能である。この場合、カラオケ装置Ｋは、カラオケ演奏中に贈与信号を送信した携帯端末に対しては受領信号を送信し、カラオケ演奏がされていない期間に贈与信号を送信した携帯端末に対しては贈与期間外信号を送信する。贈与信号を送信した携帯端末は、カラオケ装置Ｋから受領信号を受信した場合のみ、送信した贈与信号に含まれるポイントをポイント記憶部１０ａに記憶されているポイントから減算し、カラオケ装置Ｋから贈与期間外信号を受信した場合は、その旨を表示部１２に表示させ、ポイントの減算は行わない。
【０１０３】
また、カラオケ装置側で携帯端末毎のポイントを記憶しない構成も可能である。この場合、携帯端末は、カラオケシステム１において利用するポイントを記憶するポイント記憶部１０ａと、楽曲識別情報、及び端末識別情報を含む予約信号をカラオケ装置Ｋに送信する予約送信部１４ｂと、利用者から所定の操作入力を受け付けた場合、贈与信号をカラオケ装置Ｋに送信し、且つ当該贈与信号に含まれるポイントをポイント記憶部１０ａに記憶されているポイントから減算し、カラオケ装置Ｋから所定のポイントを含んだ受贈信号を受信した場合、当該所定のポイントをポイント記憶部１０ａに記憶されているポイントに加算する端末側ポイント処理部１４ｃと、を有し、カラオケ装置Ｋは、携帯端末から予約信号を受信した場合、当該予約信号に含まれる楽曲識別情報と、当該携帯端末の端末識別情報とを対応付けて予約テーブルに記憶させる予約処理部２００と、ある携帯端末から受信した予約信号に基づいてある楽曲のカラオケ演奏を行っている間に、ある携帯端末以外の他の携帯端末から贈与信号を受信した場合、当該ある楽曲の楽曲識別情報に対応付けられた端末識別情報に基づいて、ある携帯端末に対し、当該贈与信号に含まれるポイントと同じポイントを含んだ受贈信号を送信する装置側ポイント処理部４００と、を有する。
【０１０４】
このようなカラオケシステム１によれば、カラオケ装置側で端末別ポイント記憶部１００を設けなくともよい。各利用者は、カラオケ装置を介し、携帯端末同士でポイントの授受を行うことができる。従って、カラオケ歌唱を行った者に対し、当該カラオケ歌唱に対する肯定的な評価をより簡易に伝えることができる。この場合、カラオケ装置Ｋからログアウトする携帯端末のポイント記憶部１０ａに記憶されているポイントが、削除される構成にて実施可能であり、携帯端末が、ポイント記憶部１０ａのポイントをログアウト信号に含めることにより、カラオケ装置Ｋは、ログアウト信号に含まれるポイントを表示装置４０に表示でき、従業員は、表示されたポイントに応じて、利用代金の調整を行うことができる。
【０１０５】
また、カラオケ装置Ｋは、携帯端末から贈与信号を受信した場合、スピーカ３０から効果音（たとえば、実際の投げ銭においてコインが入れ物に入るときの音）を出力したり、表示装置４０に効果映像（たとえば、コインが落ちて入れ物に入るようなアニメーション）を表示させてもよい。
【０１０６】
また、端末側ポイント処理部１４ｃは、ポイント記憶部１０ａに記憶されているポイントを表示部１２に表示させてもよい。この場合、利用者は、残りのポイントや、これまでに使用したポイント等を把握することができる。
【０１０７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１０８】
１０ａ  ポイント記憶部
１４ａ  ログイン処理部
１４ｂ  予約送信部
１４ｃ  端末側ポイント処理部
１００  端末別ポイント記憶部
２００  予約処理部
３００  ログイン許可部
４００  装置側ポイント処理部
Ｋ  カラオケ装置
Ｍ１、Ｍ２  携帯端末
【図１】
2020071288.tif 000003
【図２】
2020071288.tif 000004
【図３】
2020071288.tif 000005
【図４】
2020071288.tif 000006
【図５】
2020071288.tif 000007